(57)【要約】      （修正有）【課題】ヘッドに装飾を施しつつ、重量調整が容易な、ゴルフクラブヘッドを提供する。【解決手段】ゴルフクラブヘッドは、クラウン部と、フェース部と、ソール部と、クラウン部及びソール部の少なくとも一方に形成された、少なくとも１つの凹部に収容されるウエイト部材６と、凹部に収容されたウエイト部材を覆う装飾部材７と、を備えている。【選択図】図６
2019030598.tif 000002
【特許請求の範囲】
【請求項１】
クラウン部と、
フェース部と、
ソール部と、
前記クラウン部及びソール部の少なくとも一方に形成された、少なくとも１つの凹部に収容されるウエイト部材と、
前記凹部に収容された前記ウエイト部材を覆う装飾部材と、
を備えている、ゴルフクラブヘッド。
【請求項２】
前記凹部は、
前記ウエイト部材を収容する第１収容部と、
前記装飾部材を収容する前記第２収容部と、
を備え、
前記第２収容部は、前記第１収容部よりも大径に形成され、
前記第２収容部及び第１収容部は、前記ソール部の表面から前記凹部の深さ方向にこの順で隣接するように配置されている、請求項１に記載のゴルフクラブヘッド。
【請求項３】
前記装飾部材は、着脱自在に構成されている、請求項１または２に記載のゴルフクラブヘッド。
【請求項４】
前記ウエイト部材は、前記凹部に対して着脱自在に構成されている、請求項１から３のいずれかに記載のゴルフクラブヘッド。
【請求項５】
前記ウエイト部材は、前記凹部の深さ方向の位置を調整可能に構成されている、請求項１から４のいずれかに記載のゴルフクラブヘッド。
【請求項６】
前記凹部は、前記ソール部に形成されている、請求項１から５のいずれかに記載のゴルフクラブヘッド。
【請求項７】
前記装飾部材は、前記ソール部の表面から外部に露出している、請求項６に記載のゴルフクラブヘッド。
【請求項８】
前記ウエイト部材と前記装飾部材とは、相似形状である、請求項１から７のいずれかに記載のゴルフクラブヘッド。
【請求項９】
前記ウエイト部材と前記装飾部材とは、円板状に形成され、両者の中心が一致するように、前記凹部に収容されている、請求項１から８のいずれかに記載のゴルフクラブヘッド。
【請求項１０】
請求項１から９のいずれかに記載のゴルフクラブヘッドに取り付けられるウエイト部材。
【請求項１１】
請求項１から９のいずれかに記載のゴルフクラブヘッドに取り付けられる装飾部材。
【発明の詳細な説明】
【技術分野】
【０００１】
本発明は、ゴルフクラブヘッド、及びこれに取り付けられるウエイト部材及び装飾部材に関する。
【背景技術】
【０００２】
特許文献１では、ソール部に凹部を形成し、この凹部にウエイトを着脱自在に取り付けることができるゴルフクラブヘッドが提案されている。具体的には、凹部に対し、円形の装飾部材（質量要素）を配置するとともに、この装飾部材の貫通孔に対し、ボルト状の固定部材を挿通し、凹部に固定している。
【先行技術文献】
【特許文献】
【０００３】
【特許文献１】特許第４３７０２５４号公報
【発明の概要】
【発明が解決しようとする課題】
【０００４】
しかしながら、上記のようなゴルフクラブヘッドでは、装飾部材が重量調整の役割を果たしているため、重量調整が容易ではないという問題がある。すなわち、装飾部材は、ヘッドのデザインに合わせて装飾を施さなければならず、装飾も勘案して重量調整をしなければならない。そこで、本発明は、この問題を解決するためになされたものであり、ヘッドに装飾を施しつつ、重量調整が容易な、ゴルフクラブヘッドを提供することを目的とする。
【課題を解決するための手段】
【０００５】
本発明に係るゴルフクラブヘッドは、クラウン部と、フェース部と、ソール部と、前記クラウン部及びソール部の少なくとも一方に形成された、少なくとも１つの凹部に収容されるウエイト部材と、前記凹部に収容された前記ウエイト部材を覆う装飾部材と、を備えている。
【０００６】
上記ゴルフクラブヘッドにおいて、前記凹部は、前記ウエイト部材を収容する第１収容部と、前記装飾部材を収容する前記第２収容部と、を備えることができ、前記第２収容部は、前記第１収容部よりも大径に形成することができ、前記第１収容部及び第２収容部は、前記ソール部の表面から前記凹部の深さ方向にこの順で隣接するように配置することができる。
【０００７】
上記各ゴルフクラブヘッドにおいて、前記装飾部材は、着脱自在に構成することができる。
【０００８】
上記各ゴルフクラブヘッドにおいて、前記ウエイト部材は、前記凹部に対して着脱自在に構成することができる。
【０００９】
上記各ゴルフクラブヘッドにおいて、前記ウエイト部材は、前記凹部の深さ方向の位置を調整可能に構成することができる。
【００１０】
上記ゴルフクラブヘッドにおいて、前記凹部は、前記ソール部に形成することができる。
【００１１】
上記ゴルフクラブヘッドにおいては、前記装飾部材を、前記ソール部の表面から外部に露出させることができる。
【００１２】
上記各ゴルフクラブヘッドにおいて、前記ウエイト部材と前記装飾部材とを、相似形状とすることができる。
【００１３】
上記各ゴルフクラブヘッドにおいて、前記ウエイト部材と前記装飾部材とを、円板状に形成し、両者の中心が一致するように、前記凹部に収容することができる。
【００１４】
本発明に係るウエイト部材は、上述したいずれかのゴルフクラブヘッドに取り付けられる。
【００１５】
本発明に係る装飾部材は、上述したいずれかのゴルフクラブヘッドに取り付けられる。
【発明の効果】
【００１６】
本発明に係るゴルフクラブヘッドによれば、ヘッドに装飾を施しつつ、重量調整が容易になる。
【図面の簡単な説明】
【００１７】
【図１】本発明に係るゴルフクラブヘッドの一実施形態を示す斜視図である。
【図２】図１のゴルフクラブヘッドの基準状態での平面図である。
【図３】装飾部材及びウエイト部材を取り外した状態のゴルフクラブヘッドをソール部側から見た図である。
【図４】装飾部材及びウエイト部材を取り外した状態の図２のＡ−Ａ線断面図である。
【図５Ａ】フェース部の境界を説明する図である。
【図５Ｂ】フェース部の境界を説明する図である。
【図６】装飾部材及びウエイト部材を取り付けた状態のソール部の凹部の断面図である。
【図７】装飾部材が取り付けられたヘッドをソール部側から見た図である。
【図８】装飾部材及びウエイト部材を取り外した状態の他のゴルフクラブヘッドをソール部側から見た図である。
【図９】装飾部材及びウエイト部材を取り付けた状態のソール部の凹部の断面図である。
【発明を実施するための形態】
【００１８】
以下、本発明に係るゴルフクラブヘッドの一実施形態について、図面を参照しつつ説明する。
【００１９】
＜１．ゴルフクラブヘッドの概要＞
図１は、このゴルフクラブヘッドの斜視図、図２は、図１のゴルフクラブヘッドの基準状態での平面図、図３は、装飾部材及びウエイト部材を取り外した状態のゴルフクラブヘッドをソール部側から見た図、図４は、装飾部材及びウエイト部材を取り外した状態の図２のＡ−Ａ線断面図である。図１〜図４に示すように、このゴルフクラブヘッド（以下、単に「ヘッド」ということがある）１０は、内部空間を有する中空構造であり、フェース部１、クラウン部２、ソール部３、及びホーゼル部４によって壁面が形成されたウッド型のゴルフクラブヘッドである。具体的には、ユーティリティ、フェアウェイウッド、ドライバーといったゴルフクラブヘッドに適用することができる。
【００２０】
フェース部１は、ボールを打球する面であるフェース面を有しており、クラウン部２はフェース部１と隣接し、ヘッド１０の上面を構成する。ソール部３は、主としてヘッド１０の底面を構成し、フェース部１とクラウン部２以外のヘッド１０の外周面を構成する。すなわち、ヘッド１０の底面のほか、フェース部１のトウ側からヘッドのバック側を通りフェース部１のヒール側へと延びる部位もソール部３の一部である。さらに、ホーゼル部４は、クラウン部２のヒール側に隣接して設けられる部位であり、ゴルフクラブのシャフト（図示省略）が挿入される挿入孔４１を有している。そして、この挿入孔４１の中心軸線Ｚは、シャフトの軸線に一致している。
【００２１】
ここで、ゴルフクラブヘッド１０を地面に設置するときの基準状態について説明する。まず、図２に示すように、上記中心軸線Ｚが地面に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。
【００２２】
次に、ソール部３について説明する。図３及び図４に示すように、ソール部３には、円形状の凹部３０が形成されている。この凹部３０は、図４に示すように、円筒状の周壁面を有する第１収容部３１と、これよりも大径の周壁面を有する円筒状の第２収容部３２とを備えている。そして、第２収容部３２及び第１収容部３１は、ソール部３の表面から深さ方向に、この順で隣接するように配置されている。より詳細に説明すると、第１収容部３１は、円形の底面３１１と、この底面３１１の周縁からソール部３の表面側に延びる円筒状の周壁面３１２とを有し、後述するように、ウエイト部材６が配置される。一方、第２収容部３２は、第１収容部３１の周壁面３１２の軸方向の端部から径方向外方に延びる環状の底面３２１と、この底面３２１の周縁からソール部３の表面に延びる周壁面３２２とを有し、後述するように、装飾部材７が配置される。なお、この凹部３０は、基準状態において、ホーゼル部４の挿入孔４１の最深部よりも下方に配置されている。
【００２３】
本実施形態において、フェース部１とクラウン部２、及びフェース部１とソール部３との境界は、次のように定義することができる。この点について、図５を参照しつつ説明する。すなわち、両者の間に稜線が形成されている場合には、これが境界となる。一方、明確な稜線が形成されていない場合には、図５Ａに示されるように、ヘッド重心ＧとスイートスポットＳＳとを結ぶ直線Ｎを含む各断面Ｅ１、Ｅ２、Ｅ３…において、図５Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００２４】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１０の重心の真上から見たときの輪郭が境界となる。
【００２５】
また、ヘッド１０は、例えば、比重がほぼ４．３〜４．５程度のチタン合金（Ｔｉ−６Ａｌ−４Ｖ、Ｔｉ−８Ａｌ−１Ｍｏ−１Ｖ等）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２６】
また、このゴルフクラブヘッド１０の体積は、例えば、９０ｃｍ3以上、４６０ｃｍ3以下が望ましい。
【００２７】
＜２．ウエイト部材＞
続いて、ウエイト部材６について、図６を参照しつつ説明する。図６は、装飾部材７及びウエイト部材６を取り付けた状態のソール部３の凹部３０の断面図である。図６に示すように、このウエイト部材６は、円柱状（あるいは円板状）に形成されており、上述したソール部３の凹部３０の第１収容部３１に収容される。そのため、ウエイト部材６の外形は、第１収容部３１に収容可能な大きさに形成されている。そして、ウエイト部材６は、接着剤などで第１収容部３１の底面３１１または周壁面３１２に固定することができる。但し、ネジ止めなどの他の方法で固定することもできる。ウエイト部材６を形成する材料は、特には限定されないが、例えば、アルミニウム、ステンレス等の金属や、Ｗ、Ｎｉ及びＦｅを含むタングステン・ニッケル・鉄合金等の合金、あるいは樹脂材料を用いることができる。なお、ウエイト部材６は、それぞれ異なる重さのものを複数準備しておくことができ、複数種のうちのいずれかを用いることで、ヘッド１０の重量や重心位置を変更することができる。
【００２８】
＜３．装飾部材＞
次に、装飾部材７について説明する。図６に示すように、装飾部材７は、円板状に形成されており、上述したソール部３に凹部３０の第２収容部３２に収容される。そのため、装飾部材７の外形は、第２収容部３２に収容可能な大きさに形成されているが、ウエイト部材６を覆うために、ウエイト部材６よりも大きい外径を有している。このとき、装飾部材７とウエイト部材６とは、円板の中心がほぼ一致した状態で、凹部３０に配置される。また、装飾部材７において、ウエイト部材６とは反対側の面、つまり外部に露出する面には、例えば、図７に示すような装飾が施されている。装飾部材７を形成する材料は、特には限定されないが、例えば、アルミニウム、ステンレス等の金属や、あるいは樹脂材料用いることができる。装飾部材７の固定方法は、特には限定されないが、例えば、第２収容部３２の周壁面３２２に雌ネジを形成し、装飾部材７の外周面に雄ネジを形成する。そして、装飾部材７を第２収容部３２にネジ止めすることで、装飾部材７を第２収容部３２に固定することができる。その他、装飾部材７を第２収容部３２の底面３２１にネジ止めや接着剤により、固定することもできる。
【００２９】
＜４．ゴルフクラブヘッドの組立構造＞
本実施形態に係るゴルフクラブヘッド１０は、図４に示すように、クラウン部２及びソール部３を有するヘッド本体１０１と、フェース部１及びその周縁から延びる周縁部１５を有するカップ状に形成されたフェース用部材１０２と、を組み立てることで構成される。このヘッド本体１０１は、クラウン部２及びソール部３で囲まれた開口１８を有し、この開口１８を塞ぐようにフェース用部材１０２が取り付けられる。すなわち、フェース用部材１０２の周縁部１５の端面が、ヘッド本体１０１の開口１８の端面と突き合わされ、これらが、溶接によって接合される（いわゆるカップフェース構造）。そして、フェース用部材１０２は、ヘッド本体１０１の開口１８の縁部に取付けられることで、ヘッド本体１０１と一体化され、これによって、フェース用部材１０２の周縁部１５は、ヘッド１０のクラウン部２及びソール部３の一部として機能する。
【００３０】
したがって、フェース用部材１０２の周縁部１５がヘッド本体１０１に取付けられることで一体的に形成される面が、ヘッド１０のクラウン部２及びソール部３を構成する。そのため、厳密には、ヘッド本体１０１のクラウン部２及びソール部３は、ヘッド１０のクラウン部２及びソール部３の一部ではあるが、本明細書では、これらを区別することなく、ヘッド本体１０１の各部も、単にクラウン部２、ソール部３と称することがある。
【００３１】
＜５．ゴルフクラブヘッドの製造方法＞
次に、上記のゴルフクラブヘッドの製造方法の一例について説明する。まず、上述したヘッド本体１０１とフェース用部材１０２とを準備する。このようなヘッド本体１０１及びフェース用部材１０２は、種々の方法で作製することができる。例えば、ヘッド本体１０１は、公知のロストワックス精密鋳造法などの鋳造によって製造することができる。また、フェース用部材１０２は、例えば、鍛造製法や、平板のプレス加工、鋳造等により製造することができる。また、このとき用いるフェース用部材１０２の加工前の平板は、圧延方向が、フェース部１のトゥ側の上部からヒール側の下部に向かう方向とほぼ一致するように加工される。
【００３２】
そして、これらを、例えば、溶接（ＴＩＧ（タングステン−不活性ガス）溶接、プラズマ溶接、レーザー溶接、ロウ付けなど）により接合した後、所定の塗装を施すと、ゴルフクラブヘッドが完成する。
【００３３】
その後、ヘッドを所定の重量にするため、あるいは重心の位置を調整するために、複数のウエイト部材６から適切なものを適宜選択した後、ウエイト部材６を凹部３０の第１収容部３１に固定する。例えば、厚みが異なるウエイト部材６を配置した場合には、ヘッドの重心位置を調整することもできる。続いて、ウエイト部材６を覆うように、第２収容部３２に装飾部材７を固定する。こうして、本実施形態に係るゴルフクラブヘッドが完成する。
【００３４】
＜６．特徴＞
以上の実施形態によれば、次の効果を得ることができる。
【００３５】
(1) 図７に示すように、意匠性を有する装飾部材７をソール部３に配置することで、ヘッドに美感を生じさせることができる。
【００３６】
(2) 装飾を施されていないウエイト部材６は、装飾部材７によって覆われ、外部から視認できないように構成されている。そのため、ウエイト部材６については、意匠性を勘案することなく、形状や重量を自由に変更することができる。したがって、ヘッドの重量調整の自由度を向上することができる。また、重量調整のため、例えば、複数種のウエイト部材６を準備する際、装飾用の加工を施す必要がないため、コストを低減することができる。
【００３７】
(3) 装飾部材７は、凹部３０に対し、取り外しできないように固定することもできるし、取り外し可能に固定することもできる。取り外し可能に構成すれば、種々の装飾部材７を取り付けることができ、ヘッドの外観を変更することができる。
【００３８】
(4) ウエイト部材６も、凹部３０に対し、取り外しできないように固定することもできるし、取り外し可能に固定することもできる。取り外し可能に構成すれば、大きさや形状の異なるウエイト部材６を第１収容部３１に取り付けることができるため、ヘッドの製造後に、ユーザの要求に応じて、ヘッドの重量や重心を調整することができる。この場合、装飾部材７も取り外し可能に構成する必要がある。ウエイト部材６を取り外しできないようにする場合には、製造時に、ヘッドを所定の重量にするため、あるいは重心の位置を調整した上で、ウエイト部材６の固定を行う。
【００３９】
(5) ウエイト部材６が収容される凹部３０は、ホーゼル部４の挿入孔４１の最深部よりも下方に配置されている。そのため、例えば、ホーゼル部４の挿入孔４１の最深部にウエイト部材を配置する場合に比べ、ヘッドの重心を低くすることができる。
【００４０】
＜７．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００４１】
＜７．１＞
上記実施形態においては、ウエイト部材６及び装飾部材７が円形に形成されているが、例えば、多角形状など、種々の形状にすることができる。また、ウエイト部材６の厚みを変えず、外径を変化させれば、ヘッドの重心位置が変わることなく、重量の調整を行うことができる。また、装飾部材７は、板状のほか、ブロック状に形成されていてもよい。
【００４２】
上記実施形態では、ウエイト部材６及び装飾部材７が相似形状に形成されているが、相似形状以外の異なる形状であってもよい。また、ウエイト部材６及び装飾部材７は、中心が一致するように配置されているが、ずれていてもよい。
【００４３】
＜７．２＞
ウエイト部材６の固定方法は、特には限定されず、次のように構成することができる。図８に示すように、凹部３０の第１収容部３１の底面３１１に貫通孔３１３を形成し、この貫通孔３１３の周壁に雌ネジを形成する。そして、図９に示すように、ウエイト部材６において、この底面３１１と対向する面に円筒状の突部６１を形成し、この突部６１の外周面に雄ネジを形成する。そして、この雄ネジを貫通孔３１３の雌ネジに螺合することで、ウエイト部材６を第１収容部３１に固定する。なお、突部６１に雄ネジを形成することなく、単に突部６１を貫通孔３１３に挿入（または圧入）することでも、ウエイト部材６を第１収容部３１に固定することができる。また、突部６１の長さを長くしたり、あるいは短くすることで、ヘッドの重心の位置を調整することができる。その他、ウエイト部材６は、種々の方法で第１収容部３１に固定することができる。例えば、装飾部材７とウエイト部材６との間に弾性部材を配置し、装飾部材７により、弾性部材を介してウエイト部材６を押圧することで、ウエイト部材６を固定することもできる。
【００４４】
＜７．３＞
装飾部材７の第２収容部３２に対する固定方法も特には限定されず、ネジ、接着剤等、種々の方法で第２収容部３２に固定することができる。
【００４５】
＜７．４＞
第１収容部３１及び第２収容部３２は、ウエイト部材６及び装飾部材７を収容できるのであれば、その形状は特には限定されない。また、ウエイト部材６の一部が第１収容部３１からはみ出し、第２収容部３２に収容されていてもよい。
【００４６】
＜７．５＞
上記実施形態では、凹部３０を一つ設けているが、二以上設けることもできる。これに合わせて、装飾部材７及びウエイト部材６も複数設けることもできる。また、凹部３０を、クラウン部２に配置することもできる。
【符号の説明】
【００４７】
１  フェース部
２  クラウン部
３  ソール部
３０  凹部
３１  第１収容部
３２  第２収容部
６  ウエイト部材
７  装飾部材
【図１】
2019030598.tif 000003
【図２】
2019030598.tif 000004
【図３】
2019030598.tif 000005
【図４】
2019030598.tif 000006
【図５Ａ】
2019030598.tif 000007
【図５Ｂ】
2019030598.tif 000008
【図６】
2019030598.tif 000009
【図７】
2019030598.tif 000010
【図８】
2019030598.tif 000011
【図９】
2019030598.tif 000012